(57)【要約】【課題】１００Ｖの交流電源コンセントを利用せずに動作させることができるブースターを提供することを目的とする。【解決手段】アンテナによって受信されたテレビ放送信号を入力する入力端子２と、入力信号を増幅する増幅回路と、入力信号を減衰する減衰回路と、入力端子２を増幅回路と接続するか、減衰回路と接続するかを切り換えるスイッチ５と、増幅又は減衰された信号を出力する出力端子３と、増幅回路及び減衰回路の駆動電力を入力するＵＳＢ端子４とによって構成されていることを特徴とする。【選択図】図１
0003121749.tif 000002
【実用新案登録請求の範囲】
【請求項１】
アンテナによって受信されたテレビ放送信号を入力する入力端子と、入力信号を増幅する増幅回路と、増幅された信号を出力する出力端子と、前記増幅回路の駆動電力を入力するＵＳＢ端子とによって構成されていることを特徴とするブースター。
【請求項２】
アンテナによって受信されたテレビ放送信号を入力する入力端子と、入力信号を増幅する増幅回路と、入力信号を減衰する減衰回路と、前記入力端子を増幅回路と接続するか、減衰回路と接続するかを切り換えるスイッチと、増幅又は減衰された信号を出力する出力端子と、前記増幅回路及び減衰回路の駆動電力を入力するＵＳＢ端子とによって構成されていることを特徴とするブースター。
【請求項３】
前記出力端子が、プッシュオンコネクタであることを特徴とする、請求項１又は請求項２に記載のブースター。
【考案の詳細な説明】
【技術分野】
【０００１】
本考案は、テレビジョン受像機或いはパーソナルコンピュータ等へ供給されるテレビ放送信号を増幅するために用いられるブースターに関する。
【背景技術】
【０００２】
従来のテレビ放送の受信設備は、一般に、屋外アンテナ、伝送路（同軸ケーブル）、壁面端子等によって構成され、伝送路が長い場合や、分配数が多い場合など、最終的にテレビジョン受像機に入力される受信信号の利得が充分でないような場合には、伝送路上にブースターを介在させて、利得を補償するような構成となっている。これに対し、近年開始された地上デジタル放送は、簡易な室内アンテナでも充分に電波を受信できるため、テレビジョン受像機の近傍に室内アンテナを設置し、両者を短いケーブルで接続するだけで、簡単に受信設備を構築することができる。
【０００３】
従って、地上デジタル放送の受信設備においては、設置した室内アンテナの感度が良好である限り、基本的には、受信信号の利得を補償するためのブースターを設置する必要はない。しかしながら最近では、大容量ハードディスクレコーダを始めとして、各種の周辺機器がメーカーより供給されているほか、パーソナルコンピュータにおいても、テレビチューナを接続することにより、或いは、予め内蔵されているテレビチューナにより、テレビ放送を視聴することができるため、それらの周辺機器に対して受信信号を分配入力する場合には、損失が生じて、利得を補償する必要が生じる場合がある。
【考案の開示】
【考案が解決しようとする課題】
【０００４】
ところで、ブースターを動作させるには電源が必要であり、室内に設置するタイプの一般的なブースターは、１００Ｖの交流電源コンセントから、ＡＣ／ＤＣアダプターを介して電源電力を入力するように構成されているが、テレビジョン受像機のほかに、多数の周辺機器が電源コンセントに接続されている状況では、ブースター用の電源を確保することが困難な場合が多く、また、それらの電源コードが電源コンセント周りに混在している状況で、ブースターのＡＣ／ＤＣアダプターをその周辺に配置しなければならないとすると、美観が損なわれてしまうという問題もある。
【０００５】
また、いわゆるモバイル機器（テレビチューナを内蔵又は接続したラップトップ型のパーソナルコンピュータなど）においてテレビ放送を視聴しようとする場合において、充分な利得が得られない場合には、ブースターを接続して受信信号を増幅させる必要があるが、１００Ｖの交流電源を必要とするブースターでは、電源を確保することができない場合があり、モバイル機器としての利点が損なわれてしまうという問題がある。
【０００６】
本考案は、このような従来技術における問題を解決すべくなされたものであって、１００Ｖの交流電源コンセントを利用せずに動作させることができるブースターを提供することを目的とする。
【課題を解決するための手段】
【０００７】
本考案の請求項１に記載のブースターは、アンテナによって受信されたテレビ放送信号を入力する入力端子と、入力された信号を増幅する増幅回路と、増幅された信号を出力する出力端子と、増幅回路の駆動電力を入力するＵＳＢ端子とによって構成されていることを特徴としている。
【０００８】
また、本考案の請求項２に記載のブースターは、アンテナによって受信されたテレビ放送信号を入力する入力端子と、入力信号を増幅する増幅回路と、入力信号を減衰する減衰回路と、入力端子を増幅回路と接続するか、減衰回路と接続するかを切り換えるスイッチと、増幅又は減衰された信号を出力する出力端子と、増幅回路及び減衰回路の駆動電力を入力するＵＳＢ端子とによって構成されていることを特徴としている。
【０００９】
更に、本考案の請求項３に記載のブースターは、請求項１又は請求項２に記載のブースターにおいて、出力端子がプッシュオンコネクタであることを特徴としている。
【考案の効果】
【００１０】
本考案のブースターは、駆動電力をＵＳＢ端子から入力できるようになっているため、接続しようとする機器のＵＳＢ端子から、ＵＳＢケーブルを介して電力の供給を受けることができ、１００Ｖの交流電源コンセントを利用せずに、つまり、１００Ｖの交流電源コンセントが近傍に存在していないような場合であっても、好適に動作させることができる。
【００１１】
また、増幅回路のほかに減衰回路も内蔵し、適宜切り換えられるように構成した場合には、受信信号を状況に応じて適正なレベルで出力させることができる。更に、出力端子としてプッシュオンコネクタを使用した場合には、接続しようとする機器の入力端子に、直接取り付けることができる。
【考案を実施するための最良の形態】
【００１２】
以下、添付図面に沿って、本考案を実施するための最良の形態について説明する。図１は、本考案の第１の実施形態に係るブースター１の外観構成を示す図である。図示されているように、このブースター１は、アンテナによって受信されたテレビ放送信号を入力する入力端子２と、増幅又は減衰されたテレビ放送信号を出力する出力端子３と、駆動電力を入力するＵＳＢ端子４とを有している。そして内部には、入力端子２からの入力信号を増幅する増幅回路と、入力信号を減衰する減衰回路が備えられている。
【００１３】
また、このブースター１には、入力端子２を増幅回路と接続するか、減衰回路と接続するかを切り換えるスイッチ５が備えられており、入力端子２と増幅回路とが接続されるようにスイッチ５を設定した場合、入力端子２から入力された信号は増幅回路によって増幅され、出力端子３から出力されることになる。一方、入力端子２と減衰回路とが接続されるようにスイッチ５を設定した場合、入力端子２から入力された信号は、減衰回路によって減衰され、出力端子３から出力されることになる。従って、状況に応じてスイッチ５の切り換えを行うことにより、受信信号を適正なレベルで出力することができる。
【００１４】
そして、このブースター１は、駆動電力をＵＳＢ端子４から入力できるようになっているため、ＵＳＢ端子を有するＡＶ機器（テレビジョン受像機、ハードディスクレコーダ等）、パーソナルコンピュータ（デスクトップ型のほか、ラップトップ型、或いは、パームトップ型のものなども含む）と、ＵＳＢケーブルを介して接続することにより、１００Ｖの交流電源コンセントを利用せずに動作させることができる。
【００１５】
また、本実施形態のブースター１においては、出力端子３としてプッシュオンコネクタを使用しているため、接続しようとする機器（テレビジョン受像機、ハードディスクレコーダ、パーソナルコンピュータ、或いは、分配器など）の入力端子に、直接取り付けることができる。
【図面の簡単な説明】
【００１６】
【図１】本考案の第１の実施形態に係るブースター１の外観構成図。
【符号の説明】
【００１７】
１：ブースター、
２：入力端子、
３：出力端子、
４：ＵＳＢ端子、
５：スイッチ
【図１】
0003121749.tif 000003